(57)【要約】【課題】浸透性コンクリート保護材がコンクリート表面に施工されているか否かを容易且つ確実に検出することができると共に、簡便性、機能性に優れた施工検出方法及び装置を提供することにある。【解決手段】コンクリート表面に導電性液体を塗布又は噴霧し、所定時間経過後に、コンクリート表面の導電性液体を拭き取り、一対の電極をコンクリート表面に当てて前記電極間に電圧を印加し、電極間の通電の有無により浸透性コンクリート保護材が施工されているか否かを検出する。【選択図】図４
2011002299.tif 000002
【特許請求の範囲】
【請求項１】
コンクリート表面に導電性液体を塗布又は噴霧し、所定時間経過後に、前記コンクリート表面の導電性液体を拭き取り、一対の電極を前記コンクリート表面に当てて電圧を印加し、前記一対の電極の間の通電の有無により浸透性コンクリート保護材が施工されているか否かを検出することを特徴とする浸透性コンクリート保護材の施工検出方法。
【請求項２】
浸透性コンクリート保護材の表面に当てるための一対の電極と、前記一対の電極の間に電圧を印加する電圧印加手段と、前記一対の電極の間の通電を検出する通電検出手段と、前記通電検出手段で通電が検出されたことを報知する報知手段とを具備したことを特徴とする浸透性コンクリート保護材の施工検出装置。
【発明の詳細な説明】
【技術分野】
【０００１】
本発明は、浸透性コンクリート保護材の施工検出方法及び装置に関し、より具体的には、コンクリート構造物に浸透性コンクリート保護材（コンクリート改質材、コンクリート表面用含浸材、コンクリート吸水防止材などと呼ばれるものを含む。）が施工されているか否かを客観的かつ正確に検出する方法及び装置に関する。
【背景技術】
【０００２】
従来、建物、橋などのコンクリート構造物では、コンクリートの塩害や凍害対策として、その表面に表面被覆材を施工することにより、コンクリートの劣化を抑制するようにしている。しかしながら、表面被覆材はコンクリートの表面を皮膜（塗装やシート）で覆う工法であるため、コンクリート内部の劣化防止としては不完全なものである。
【０００３】
これに対して、浸透性コンクリート保護材は、コンクリート構造物の表面に塗布若しくは噴霧することにより、コンクリート内部に深く浸透させ、コンクリート内の連続細孔を緻密化させたり、コンクリート表面に撥水層を形成したりすることでコンクリートの劣化を抑制できる。このため、近年、表面被覆材より施工作業が容易で、施工費も安価という特徴を有する浸透性コンクリート保護材が着目され、その施工範囲が拡大している。
【０００４】
このような浸透性コンクリート保護材は、例えば下記特許文献２と特許文献３に開示されている。即ち、特許文献２では、アルキルアルコキシシラン、非極性溶媒、界面活性剤及び水からなる浸透性吸水防止材を提案しており、特許文献３では、有機ケイ素化合物エマルション、フッ素樹脂エマルション及び成膜助剤からなる水性吸水防止材を提案している。
【先行技術文献】
【特許文献】
【０００５】
【特許文献１】特開２００７−１７８２１０号公報
【特許文献２】特開２００８−１３６４５号公報
【特許文献３】特開２００２−１２１５４３号公報
【発明の概要】
【発明が解決しようとする課題】
【０００６】
ところが、特許文献２や特許文献３に開示されているシラン系、ケイ酸塩系または溶剤系浸透性コンクリート保護材は、いずれも無色且つ無臭であって、浸透性コンクリート保護材の施工によってコンクリートの外観などの変化、塩害や凍害等を回避できるものの、浸透性コンクリート保護材が施工されているか否かを容易に確認することが困難である。手で接触しても、浸透性コンクリート保護材の有無を確認することができない。
【０００７】
特許文献１には、変色反応によるコンクリート構造物にアルカリ性の浸透性保護材が施工されているか否かを検出する方法が開示されている。即ち、特許文献１に開示されている施工確認方法は、酸と指示薬を含む反応層を表面側に有し、裏面側に粘着層を有し、これらの間に遮断層を有するコンクリート改質材施工確認用シートを、コンクリート構造物の表面に点在状態に貼り付けた後に、コンクリート改質材を噴霧し、反応層に含まれる酸をコンクリート改質材に含まれるアルカリと中和反応させ、反応層に含まれる指示薬を呈色反応させるようにしている。しかしながら、浸透性保護材は必ずしもアルカリ性のものばかりではないので、すべての浸透性保護材について施工を確認することができない問題がある。
【０００８】
本発明は上述のような事情からなされたものであり、本発明の目的は、浸透性コンクリート保護材がコンクリート表面に施工されているか否かを容易且つ確実に検出することができると共に、簡便性、機能性に優れた施工検出方法及び装置を提供することにある。
【課題を解決するための手段】
【０００９】
本発明は、浸透性コンクリート保護材が施工されているか否かを検出する方法に関し、本発明の上記目的は、コンクリート表面に導電性液体を塗布又は噴霧し、所定時間経過後に、前記コンクリート表面の導電性液体を拭き取り、一対の電極を前記コンクリート表面に当てて電圧を印加し、前記一対の電極間の通電の有無により前記浸透性コンクリート保護材が施工されているか否かを検出することにより達成される。
【００１０】
また、本発明は、浸透性コンクリート保護材が施工されているか否かを検出する検出装置に関し、本発明の上記目的は、浸透性コンクリート保護材の表面に当てるための一対の電極と、前記一対の電極の間に電圧を印加する電圧印加手段と、前記一対の電極の間の通電を検出手段と、前記通電検出手段で通電が検出されたことを報知する報知手段とを具備することによって達成される。
【発明の効果】
【００１１】
本発明の浸透性コンクリート保護材の施工検出方法及び装置によれば、コンクリート構造物の表面に水などの導電性液体を塗布若しくは噴霧した後に拭き取り、一対の電極をコンクリート表面に押圧若しくは接触させて電気的導通状態を計測して浸透性コンクリート保護材の施工の有無を判定しているので、コンクリート構造物の表面に浸透性コンクリート保護材が施工されているか否かを容易且つ確実に検出することができる。また、検出装置は携帯しやすく、操作が簡単なため誤操作が起こりにくい利点を有している。
【図面の簡単な説明】
【００１２】
【図１】浸透性コンクリート保護材が施工されているコンクリート及び施工されていないコンクリートの断面図である。
【図２】水を塗布又は噴霧した後の浸透性コンクリート保護材が施工されているコンクリート及び施工されていないコンクリートの断面図である。
【図３】水を拭き取った後の浸透性コンクリート保護材が施工されているコンクリート及び施工されていないコンクリートの断面図である。
【図４】コンクリート表面に接触されている一対の電極に電圧を印加し、浸透性コンクリート保護材が施工されているか否かを検出する様子を示す模式図である。
【図５】浸透性コンクリート保護材施工検出装置の一形態を示す斜視図である。
【図６】浸透性コンクリート保護材施工の検出回路の一例を示す結線図である。
【図７】浸透性コンクリート保護材の施工を検出する方法の一例を示すフローチャートである。
【発明を実施するための形態】
【００１３】
本発明は、浸透性コンクリート保護材がコンクリート構造物の表面に施工されているか否かを容易且つ確実に検出するための方法及び装置に関するものであり、確認前にコンクリート表面に水等の導電性液体を付着若しくは噴霧した後、導電性液体を拭き取り、コンクリート表面に一対の電極を押圧若しくは接触させて通電の有無を判定し、浸透性コンクリート保護材の施工の有無を検出する。浸透性コンクリート保護材が施工されていない場合には導電性液体がコンクリート内に浸透するので、押圧若しくは接触させた電極間に通電があるのに対し、浸透性コンクリート保護材が施工されている場合には導電性液体がコンクリート内に浸透せず、電極は浸透性コンクリート保護材表面に接触して通電が生じない。このように電極間の通電の有無によって、コンクリート表面に浸透性コンクリート保護材が施工されているか否かを検出する。
【００１４】
以下、本発明の実施の形態を図面を参照しながら詳しく説明する。
【００１５】
先ず本発明の検出原理を図１〜図４を参照して説明する。
【００１６】
図１（Ａ）は浸透性コンクリート保護材６が施工されているコンクリート５の断面図であり、浸透性コンクリート保護材６の施工により、コンクリート５の表面には防水層が形成されている。図１（Ｂ）は浸透性コンクリート保護材が施工されていないコンクリート５の断面図であって、表面にコンクリートの細孔が存在している。この状態で導電性液体としての水７をコンクリート表面５に塗布若しくは噴霧すると、浸透性コンクリート保護材６が施工されている場合は、図２（Ａ）に示すように、浸透性コンクリート保護材６表面に水が付着するのに対し、浸透性コンクリート保護材６が施工されていない場合は図２（Ｂ）に示すように、水７は矢印で示すようにコンクリート５内に浸透する。なお、浸透性コンクリート保護材６は液体の浸透特性を有しておらず撥水性のため、水７が浸透性コンクリート保護材６を通してコンクリート５に達することは無い。水７の塗布もしくは噴霧後、所定時間経過後、例えば３０秒〜１分間経過後、表面を乾いた布で拭き取る。図３（Ａ）に示すように、浸透性コンクリート保護材６が施工されているコンクリート５には防水層が形成されているため、水７はコンクリート５の内部に浸透しておらず、コンクリート５の表面に水が殆ど残っていない状態となる。一方、浸透性コンクリート保護材が施工されていないコンクリート構造体は、図３（Ｂ）に示すように防水層がないため、水の浸透作用により、コンクリート５の上層部に水が含浸された状態になっている。
【００１７】
次に、一対の電極３Ａ、３Ｂを水が拭き取られたコンクリート表面に押圧若しくは接触させ（当てて）、電極３Ａ、３Ｂ間に電圧（数ボルト〜数十ボルト）を印加すると、浸透性コンクリート保護材６が施工されているコンクリートの場合は、図４（Ａ）に示すように水が殆ど残っていない状態で、浸透性コンクリート保護材６もコンクリート５自身も絶縁体のため、開放状態となって電極３Ａ、３Ｂの間に通電がない。一方、浸透性コンクリート保護材６が施工されていないコンクリート５には水７が含浸されているので、図４（Ｂ）に示すように電極体３Ａ、３Ｂの間に通電がある。このように電極体３Ａ、３Ｂの間の通電の有無状態を検知することによって、検出結果を表示部でランプの点滅とか、ブザーの鳴動などの手段によって報知する。従って、検出装置によって、浸透性コンクリート保護材６が施工されているか否かが検出することができる。
【００１８】
図５は、本発明の浸透性コンクリート保護材の施工の有無を検出する検出装置１０の一形態を示している。
【００１９】
検出装置１０は、測定本体１１と一対の電極２１、２２を具備した電極体２０とで構成され、測定本体１１と電極体２０とはリード線２３で電気的に接続されている。また測定本体１１には、検出結果を表示するランプ１４Ａ、１４Ｂ、ブザー１３と、電源スイッチ１２とが配置されている。一対の電極体２１、２２は押し当て式ゴム電極であり、被検査体に押圧若しくは接触すると電気的に接続している状態になる。これによって、被検査体（コンクリート）の導通状態を検出することができるとともに、被検査体を傷つけることを回避できる。
【００２０】
内部構成は図６に示すようになっており、電極２１及び２２がリード線２３で測定本体１１に接続され、電源スイッチ１２にはバッテリ１５及び電流計１６が接続されている。そして、電流計１６には、電流計１６の測定電流に応じて、ランプ１４Ａ、１４Ｂを点灯若しくは点滅させるランプ駆動部１７が接続されると共にブザー１３が接続されている。なお、バッテリ１５は充電式であっても良い。
【００２１】
このような構成において、電源スイッチ１２をオンさせ、電極２１及び２２間が電気的に導通すると電流計１６に電流が流れ、ランプ駆動部１７を介してランプ１４Ａが点灯若しくは点滅されると共に、ブザー１３が鳴動する。一方、電源スイッチ１２をオンした後、電極２１及び２２間に電気的導通がなければ、ランプ駆動部１７を介してランプ１４Ｂが点灯若しくは点滅される。このとき、上述とは異なる音でブザー１３を鳴動させるようにしても良い。
【００２２】
次に、上述のような検出装置１０を用い、浸透性コンクリート保護材施工の有無を検出する方法を図７のフローチャートを参照して説明する。先ず被検査体のコンクリート表面に水を塗布又は噴霧し（ステップ１）、所定時間が経過した後（ステップ２）、乾いた布でコンクリート表面の水を拭き取る（ステップ３）。検出装置１０の電源スイッチ１２を入れ（ステップ４）、一対の電極２１，２２をコンクリート表面に押圧若しくは接触させ（ステップ５）、電流検知があるか否かを判定する（ステップ６）。電流計１６によって電流が検知されない場合には、ランプ駆動部１７を介してランプ１４Ａを点灯し（ステップ７）、ブザー１３を鳴動する（ステップ８）。一方、電流計１６で電流が検知された場合は、浸透性コンクリート保護材が施工されていないと判断し、ランプ１４Ｂを点灯するが（ステップ９）、ブザー１３は鳴動させない。このように、装置の構成も簡易で安価であり、操作も容易であり、簡単且つ確実に浸透性コンクリート保護材が施工されているか否かを検出することができる。
【００２３】
なお、上述では浸透性コンクリート保護材が施工されている時にブザーを鳴動させているが、逆であってもよく、ランプに代えて数値等で表示するようにしても良い。
【符号の説明】
【００２４】
１                    電源
２                    電流計
３                    一対の電極（３Ａ、３Ｂ）
５                    コンクリート
６                    浸透性コンクリート保護材
１０                  検出装置
１１                  測定本体
１２                  電源スイッチ
１３                  ブザー
１４Ａ、１４Ｂ        ランプ
１５                  バッテリ
１６                  電流計
１７                  ランプ駆動部
２０                  電極体
２１、２２            電極
２３                  リード線
【図１】
2011002299.tif 000003
【図２】
2011002299.tif 000004
【図３】
2011002299.tif 000005
【図４】
2011002299.tif 000006
【図５】
2011002299.tif 000007
【図６】
2011002299.tif 000008
【図７】
2011002299.tif 000009